(57)【特許請求の範囲】
【請求項１】
医用装置への取り付けのための電気コネクタであって、
基端部と、先端部と、前記基端部に配置されたネジ部とを有する、導電性材料からなるシャフトと、
前記コネクタの先端部から延びる長手方向に延びるスロットであって、前記コネクタの２つの脚部を形成するスロットと、
前記基端部と前記長手方向に延びるスロットとの間に配置された六角ナットと、
前記コネクタの中央部から延びる電気的係合手段であって、前記コネクタの脚部から延びる少なくとも２つの肩部からなり、該肩部が、雌側コネクタの内壁面と係合するように適合された手段と、
前記コネクタの前記脚部先端部近傍に配置された周方向に延びる凹所であって、該凹所の先端側に配置されるヘッドを形成し、かつ、雌側コネクタ内に配置されたリングと係合するように適合された凹所を具備し、
前記脚部が、前記周方向に延びる凹所または前記肩部のいずれかによって雌側コネクタとの前記コネクタのバネ式の係合を提供するように、前記脚部が変位可能であることを特徴とするコネクタ。
【請求項２】
前記脚部が、前記コネクタと前記雌側ソケットとの間の機械的および電気的接続を改良するために相互に対して外側に広がることを特徴とする請求項１記載のコネクタ。
【発明の詳細な説明】
発明の技術分野
この発明は、医用装置への取り付けのための電気コネクタ、特に、内視鏡検査、特に内視鏡検査用シュリンゲのための焼灼コネクタへの取付のための２重の機能を有する雄側電気コネクタに関するものである。
従来技術の概要
焼灼用内視鏡的シュリンゲのための電気コネクタは、当業者に周知である。しかしながら、そのようなコネクタは、異なる製造者からの電源で容易に使用することはできない。手術室は、異なる製造者により製造された電源を用い、かつ、これらの異なる製造者は、異なる構造の雌コネクタを使用するので、製造者は、現在市場に出回っている電源の各々について好適な雄コネクタを貯蔵し維持するための内視鏡的装置を製造することが必要であった。例えば、一の製造者では、雌コネクタが、該雌コネクタの内表面に係合して電気的接続を達成するように中央点近傍に肩部を有する雄側コネクタを必要としている。他の製造者では、雌コネクタは、コネクタの先端近傍に配置された周方向に伸びる凹所を必要としている。この後者の場合、雄側コネクタ内の凹所は、雌側コネクタ内のリングに係合もする。両コネクタは、雌側コネクタの内表面との弾性的な電気的および機械的接触を達成する。
発明の概要
この発明にしたがって、我々は、医用装置に取り付けるための電気コネクタを発見した。このコネクタは、基端部と先端部とを有する導電性材料からなるシャフトを具備している。ネジ部と六角ナットが、医用装置へのコネクタの取付けのために、該シャフトの基端部に配置されている。細長い軸方向のスロットが、２つの脚部を設けるためにコネクタの先端から伸びている。スロットは、約０．０１５〜０．０５０インチの幅を有している。前記脚部は、バネ式の係合を提供するように、雌側ソケットに対してそれらの先端を付勢するように該先端においていくらか外方向に広がっている。少なくとも２つの肩部が、各脚部において、コネクタの中央位置に配置されている。前記肩部は、摩擦係合と電気的接続の両方を提供するために雌側コネクタの内面に係合するように配置されている。周方向に延びる凹所が、コネクタの先端部近傍に配置されており、それによって、コネクタの先端部に頭部（スロットにより半分に分離されている。）が形成されている。該凹所は、雌側ソケット内に配置されたリングを受け入れるように適合されている。したがって、コネクタに取り付けられるべき雌側ソケットに関わらず、優れた機械的および電気的な接触が達成され得る。
【図面の簡単な説明】
図１は、この発明の医用装置への取付のための電気コネクタの正面図である。
図２は、一の形式の雌側コネクタ内に配置された図１に示された電気コネクタを部分的に断面で示す正面図である。
図３は、他の形式の雌側コネクタ内に配置されたこの発明の電気コネクタを部分的に断面で示す正面図である。
図４は、図１に示された電気コネクタの平面図である。
図５は、焼灼用ポリープ切除シュリンゲに取り付けたこの発明の電気コネクタを示す斜視図である。
好ましい実施形態の説明
図１を参照すると、この発明に係る電気コネクタ１が、基端部２と先端部３とを有する真鍮シャフトから形成されている。基端部２は、医用装置の中にそのコネクタを固定するためにそこに形成された一般的なネジ部４を有している。一般的な六角ナット５が、前記コネクタを医用装置に取り付けるために前記ネジ部４の端部と前記コネクタ１の本体との間に形成されている。前記コネクタの先端部は、そこに形成された直径方向に延びる長手方向スロット６を有している。このスロットは、約０．０１５〜０．０５０インチの幅を有しており、コネクタ１の先端部から六角ナット５の近傍まで延びている。スロットは、コネクタ１に２つの脚部７ａ，７ｂを形成している。通常、これらの脚部は、離れる方向に広がっており、使用に際して一緒に圧縮されたときには、それが固定される雌側コネクタの内面に対して力を印加する。
一対の肩部８ａ，８ｂが、コネクタ１の概略中央部分に配置されている。前記肩部８ａ，８ｂは、以下に説明される機械的および電気的接続を達成するために用いられる。周方向に延びる凹所９ａ，９ｂが、前記コネクタ１の先端部近傍に配置されている。コネクタ１の先端は、前記スロット６によって分割された頭部１０として形成されている。
図２を参照すると、この発明のコネクタが、一の形式の雌側コネクタ内に配置された状態に示されている。図に見られるように、雌側コネクタは、電気的に絶縁されたカバー１４の中に配置された導電性材料１１を包含している。前記コネクタの材料１１と同一の材料から形成された内部リング１２が雌側コネクタの内部に配置されている。コネクタの先端部３がリング１２内に圧縮されると、前記脚部７ａ，７ｂがヘッド１０の挿入を可能とするように一緒に圧縮される。内部に配されたときには、凹所９ａ，９ｂは、リング１２と係合し、コネクタ１を所定の位置に保持する。
図３を参照すると、異なる形式の雌側コネクタの中に配置された雄側コネクタが示されている。この図において、肩部８ａ，８ｂは、導電性を有する表面１５に係合している。表面１５は、概略円筒状の断面形状を有しており、絶縁カバー１６内に配置されている。さらに、脚部７ａ、７ｂは、導電性表面１５の内面に係合するように、肩部８ａ，８ｂに弾性を与えている。図４において、スロット６は、ヘッド１０の半分の間に配置されているように見られ得る。肩部８ａ，８ｂは、コネクタの側面から延びている。六角ナット５は肩部８ａ，８ｂの下に配置されている。
図５を参照すると、この発明の電気コネクタが、焼灼用内視鏡的シュリンゲに取り付けられた状態で示されている。このシュリンゲは、従来のデザインのものであり、シース２３内に配置されかつシース２３から延びるシュリンゲ２４を制御するように軌道２１に乗った一対の指用グリップ２０を具備している。電気コネクタ１は、前記指用グリップ２０に据え付けられた状態に示されている。シュリンゲがポリープの周りに配置されると、指用グリップが引っ込められ、そして、シュリンゲ２４が該ポリープを絞め殺して、その後、電気をかけることによりその傷を焼灼する。前記シュリンゲ２４は、コネクタ１に電気的に接続されている。
この発明の範囲内において、変更および修正を実施し得ることは明らかであるが、以下の請求の範囲により制限されることのみが、我々の意図するところである。
【図１】
0003935935.tif 000002
【図２】
0003935935.tif 000003
【図３】
0003935935.tif 000004
【図４】
0003935935.tif 000005
【図５】
0003935935.tif 000006